(57)【要約】【課題】  カイラルネマチック液晶のプレーナ状態での白さ度合を向上させ、かつ、コントラスト及びγ曲線を適切なものとし、良好な画像表示を達成できる液晶表示素子の駆動方法及び液晶表示装置を得る。【解決手段】  カイラルネマチック液晶と該液晶のドメインサイズを制御するための添加物を含む液晶層を、対向する電極付き基板で挟持した液晶表示素子の駆動方法。液晶の状態をホメオトロピック状態にリセットするためのリセット期間Ｔｒｓ、最終的な表示状態での液晶の配列を選択するための選択期間Ｔｓ、液晶の最終的な表示状態を確立するための維持期間Ｔｒｔを含むパルス波形群を液晶層に印加する。リセット期間終了から維持期間開始までの期間Ｔｓと液晶がホメオトロピック状態から螺旋構造状態に遷移するまでの期間Ｔｌｃとの比率を、Ｔｌｃ×０．７≦Ｔｓ≦Ｔｌｃ×１．３の関係を満足するように設定する。【選択図】  図４
2006201726.tif 000002
【特許請求の範囲】
【請求項１】
カイラルネマチック液晶と該カイラルネマチック液晶のドメインサイズを制御するための添加物を含む液晶層を、対向する一対の電極付き基板で挟持した液晶表示素子の駆動方法であって、
前記液晶の状態をホメオトロピック状態にリセットするためのリセット期間と、最終的な表示状態での液晶の配列を選択するための選択期間と、液晶の最終的な表示状態を確立するための維持期間とを含むパルス波形群を前記液晶層に印加して駆動し、
前記駆動期間において、前記リセット期間終了から前記維持期間開始までの期間Ｔｓと液晶がホメオトロピック状態から螺旋溝造状態に遷移するまでの期間Ｔｌｃとの比率が、Ｔｌｃ×０．７≦Ｔｓ≦Ｔｌｃ×１．３であること、
を特徴とする液晶表示素子の駆動方法。
【請求項２】
前記添加物として自己組織型ゲル化剤を用いることを特徴とする請求項１に記載の液晶表示素子の駆動方法。
【請求項３】
前記添加物としてゼラチン水溶液と界面活性剤を用いることを特徴とする請求項１に記載の液晶表示素子の駆動方法。
【請求項４】
カイラルネマチック液晶と該カイラルネマチック液晶のドメインサイズを制御するための添加物を含む液晶層を、対向する一対の電極付き基板で挟持した液晶表示素子と、前記液晶表示素子の駆動回路と、を備え、
前記駆動回路は、前記液晶の状態をホメオトロピック状態にリセットするためのリセット期間と、最終的な表示状態での液晶の配列を選択するための選択期間と、液晶の最終的な表示状態を確立するための維持期間とを含むパルス波形群を前記液晶層に印加して駆動し、
前記駆動期間において、前記リセット期間終了から前記維持期間開始までの期間Ｔｓと液晶がホメオトロピック状態から螺旋溝造状態に遷移するまでの期間Ｔｌｃとの比率が、Ｔｌｃ×０．７≦Ｔｓ≦Ｔｌｃ×１．３であること、
を特徴とする液晶表示装置。
【請求項５】
前記添加物が自己組織型ゲル化剤であることを特徴とする請求項４に記載の液晶表示装置。
【請求項６】
前記添加物がゼラチン水溶液と界面活性剤であることを特徴とする請求項４に記載の液晶表示装置。
【発明の詳細な説明】
【技術分野】
【０００１】
本発明は、液晶表示素子の駆動方法及び液晶表示装置、特に、カイラルネマチック液晶を含む液晶層を備えた液晶表示素子の駆動方法及び液晶表示装置に関する。
【背景技術】
【０００２】
近年、室温においてコレステリック相を示すカイラルネマチック液晶を用いた反射型の液晶表示素子が、電圧無印加状態でも表示を維持できるメモリ性を有し、それだけ電力消費が少なく、また、安価に製作できることから種々研究、開発されている。
【０００３】
さらに、この種の液晶表示素子の駆動方法として、素子に含まれる液晶に、これをホメオトロピック状態にリセットするためのリセット期間、最終的な表示状態での液晶の配列を選択するための選択期間及び液晶の最終的な表示状態に確立するための維持期間を含むパルス波形群を印加する３ステージ駆動方法が提案されている。
【０００４】
例えば、特許文献１，２，３は、液晶にプレパレーション電圧、セレクション電圧及びエボリューション電圧を順次印加して画像表示を行う駆動方法を開示している。特許文献２には、さらに、セレクション電圧を印加する前後にポストプレパレーションフェーズとアフターセレクションフェーズを設けることを開示している。
【０００５】
かかる３ステージ駆動方法は、液晶のホメオトロピック状態から螺旋構造状態への遷移を利用した駆動方法であるが、液晶のかかる状態変化に要する期間Ｔｌｃは液晶物性の影響を大きく受ける。一方、液晶の最終的な表示状態を選択するセレクション電圧の印加はリセット期間終了から維持期間開始までの期間Ｔｓにおいて所定のタイミングでなされる。
【０００６】
従って、期間Ｔｌｃに対して期間Ｔｓを適切に設定しなければ液晶のホメオトロピック状態から螺旋構造状態への遷移を適切なタイミングで利用して液晶の最終状態を決定するパルスを印加できなくなり、その結果、表示におけるコントラストが低下したり、該パルスの電圧値と最終的に得られる液晶表示素子のピーク反射率の関係を示すγ曲線が適切なものとならず、良好な表示ができなくなる。
【０００７】
そこで、本発明者は、特願２００３−１４５８０９として、期間Ｔｌｃ，Ｔｓの比率を好ましい範囲に設定することを提案した。しかし、コレステリック液晶相の選択反射を利用した表示素子には、高いコントラストを維持しながらさらなる反射率の向上を行うことや、良好な白黒表示を行えることなどの要求があり、表示の一層の質的向上を図るにはさらなる改良が必要となっている。
【特許文献１】米国特許第５，７４８，２７７号明細書
【特許文献２】米国特許第６，１５４，１９０号明細書
【特許文献２】特表２０００−５１４９３２号公報
【発明の開示】
【発明が解決しようとする課題】
【０００８】
そこで、本発明の目的は、カイラルネマチック液晶のプレーナ状態での白さ度合を向上させ、かつ、コントラスト及びγ曲線を適切なものとし、良好な画像表示を達成できる液晶表示素子の駆動方法及び液晶表示装置を提供することにある。
【課題を解決するための手段】
【０００９】
以上の目的を達成するため、本発明に係る液晶表示素子の駆動方法は、カイラルネマチック液晶と該カイラルネマチック液晶のドメインサイズを制御するための添加物を含む液晶層を、対向する一対の電極付き基板で挟持した液晶表示素子の駆動方法であって、前記液晶の状態をホメオトロピック状態にリセットするためのリセット期間と、最終的な表示状態での液晶の配列を選択するための選択期間と、液晶の最終的な表示状態を確立するための維持期間とを含むパルス波形群を前記液晶層に印加して駆動し、前記駆動期間において、前記リセット期間終了から前記維持期間開始までの期間Ｔｓと液晶がホメオトロピック状態から螺旋溝造状態に遷移するまでの期間Ｔｌｃとの比率が、Ｔｌｃ×０．７≦Ｔｓ≦Ｔｌｃ×１．３であることを特徴とする。
【００１０】
また、本発明に係る液晶表示装置は、カイラルネマチック液晶と該カイラルネマチック液晶のドメインサイズを制御するための添加物を含む液晶層を、対向する一対の電極付き基板で挟持した液晶表示素子と、前記液晶表示素子の駆動回路と、を備え、前記駆動回路は、前記液晶の状態をホメオトロピック状態にリセットするためのリセット期間と、最終的な表示状態での液晶の配列を選択するための選択期間と、液晶の最終的な表示状態を確立するための維持期間とを含むパルス波形群を前記液晶層に印加して駆動し、前記駆動期間において、前記リセット期間終了から前記維持期間開始までの期間Ｔｓと液晶がホメオトロピック状態から螺旋溝造状態に遷移するまでの期間Ｔｌｃとの比率が、Ｔｌｃ×０．７≦Ｔｓ≦Ｔｌｃ×１．３であることを特徴とする。
【００１１】
本発明において、前記添加物としては自己組織型ゲル化剤やゼラチン水溶液と界面活性剤とを用いることができる。
【００１２】
本発明においては、選択期間に液晶をプレーナ状態にするパルス電圧を印加することで、液晶は選択反射状態になり、液晶をフォーカルコニック状態にするパルス電圧を印加することで液晶は透明状態になる。また、選択期間において液晶に印加するパルスの幅及び電圧値のうち少なくとも一方を変調することで、選択反射状態と透明状態の中間の中間調表示も可能である。
【００１３】
そして、本発明においては、カイラルネマチック液晶に該液晶のドメインサイズを制御するための添加物が添加されているため、液晶のプレーナ状態での表示の白さ度合が向上する。一方、この種の添加物の添加によって駆動電圧の閾値がばらつくことになり、液晶の最終状態を決定するパルスの電圧値と最終的に得られる液晶表示素子のピーク反射率の関係を示す曲線が寝すぎる（後述するγ値が大きくなる）傾向にある。
【００１４】
ここで、液晶の最終状態を決定するパルスの電圧値と最終的に得られる液晶表示素子のピーク反射率の関係を示す曲線とは、本発明者らにおいてγ曲線と称しているもので、後に図１９を参照して説明するように、パルスの電圧値を横軸にとり、該パルス電圧値に対する液晶表示素子のピーク選択反射波長における反射率を縦軸にとった座標で表される曲線である。本発明者の研究によれば、このγ曲線が寝すぎると、過度の範囲にわたらない印加電圧によっては液晶の十分なプレーナ状態（表示素子の十分な反射状態）や十分なフォーカルコニック状態（表示素子の十分な透明状態）が得難くなり、ひいては良好なコントラストが得難くなる。また、γ曲線が立ちすぎると、環境変動（主として環境温度変化）や液晶表示素子の経時変化に対応し難くなり、良好な表示が困難になる。よって、γ曲線はこのような問題発生を抑制できる適切なものでなければならない。
【００１５】
そこで、リセット期間終了から維持期間開始までの期間Ｔｓと液晶がホメオトロピック状態から螺旋溝造状態に遷移するまでの期間Ｔｌｃとの比率を、Ｔｌｃ×０．７≦Ｔｓ≦Ｔｌｃ×１．３に設定することにより、適切なγ値を得ることができるとともに画像のコントラストが向上する。
【発明を実施するための最良の形態】
【００１６】
以下、本発明に係る液晶表示素子の駆動方法及び液晶表示装置の実施例について添付図面を参照して説明する。
【００１７】
（駆動方法の基本）
ここで説明する駆動方法は、メモリ性を有し、コレステリツク液晶相の選択反射を利用して表示を行う液晶表示素子の駆動方法である。
【００１８】
駆動の対象となる液晶表示素子は、カイラルネマチック液晶と該液晶のドメインサイズを制御するための添加物を含む液晶層を、対向する一対の電極付き基板で挟持したものである。添加物としては、自己組織型ゲル化剤やゼラチン水溶液と界面活性剤を用いており、以下に詳述する。
【００１９】
この駆動方法の基本は、素子に含まれる液晶の状態をホメオトロピック状態にリセットするためのリセット期間、最終的な表示状態での液晶の配列を選択するための選択期間及び液晶の最終的な表示状態を確立するための維持期間を含む波形の駆動電圧（パルス波形群）を印加して駆動する（画像を表示する）。
【００２０】
そして、駆動期間においては、リセット期間終了から維持期間開始までの期間Ｔｓと液晶がホメオトロピック状態から螺旋溝造状態に遷移するまでの期間Ｔｌｃとの比率について、Ｔｌｃ×０．７≦Ｔｓ≦Ｔｌｃ×１．３の関係式を満足させる。
【００２１】
期間Ｔｌｃは例えば次のようにして決定すればよい。即ち、前記液晶の状態をホメオトロピック状態にリセットするに十分なリセットパルスを印加し、該リセットパルス印加終了から時間Ｔｉｎｔ［ｍｓ（ミリ秒）］経過後に維持パルスを印加する工程と、該維持パルス印加終了後に前記液晶表示素子のピーク選択反射波長における反射率を測定する工程とを前記時間Ｔｉｎｔ［ｍｓ］を異ならせて、さらに異ならせた各時間Ｔｉｎｔ［ｍｓ］
に対して前記維持パルスを異ならせて複数回繰り返し実行するデータ取得工程と、前記データ取得工程で得られた、前記各時間Ｔｉｎｔ［ｍｓ］ごとの、前記維持パルスの電圧値に対する前記液晶表示素子のピーク選択反射波長における反射率の変化を表す特性曲線を作成する特性曲線作成工程と、前記特性曲線作成工程で得られる特性曲線群のうちの複数の特性曲線の実質上一致をもたらす前記時間Ｔｉｎｔ［ｍｓ］のうち最も短い時間を前記期間Ｔｌｃ［ｍｓ］と定める工程と、を経て決定する例を挙げることができる。
【００２２】
ところで、添加物を用いて液晶のドメインサイズを適切に制御することにより、プレーナ状態での表示の白さ度合が向上する。しかし、駆動電圧の閾値にばらつきが生じ、γ値が大きくなる傾向にある。適切なγ値を得るためには、期間Ｔｓを比較的長く設定することが必要となる。
【００２３】
このように期間Ｔｓ，Ｔｌｃの比率が前記関係式を満たすことで、液晶表示素子の表示におけるコントラスト及びγ曲線を適切なものにでき、それだけコントラストを良好に、また、環境変動（主として環境温度）及び素子の経時変化の影響が抑制された状態で良好な画像表示が可能である。
【００２４】
かかる液晶表示素子の駆動においては、選択期間において液晶をプレーナ状態にするパルス電圧を印加することで、液晶は選択反射状態になり、液晶をフォーカルコニック状態にするパルス電圧を印加することで、液晶は透明状態になる。また、選択期間において液晶に印加するパルスの幅及び電圧値のうち少なくとも一方を変調することで、選択反射状態と透明状態の中間の中間調表示も可能である。
【００２５】
液晶はその温度によりホメオトロピック状態から螺旋溝造状態に遷移するまでの期間Ｔｌｃが変動する。そこで、液晶表示素子又は該素子近傍の温度に応じて期間Ｔｓを変化させることで前記関係式を満たすように調整してもよい。
【００２６】
液晶に印加する電圧の極性は、消費電力を低減するためにフレームごとに反転させてもよい。液晶に印加する電圧を交流電圧とする場合は液晶の劣化を抑制するうえで有利である。
【００２７】
（液晶表示素子の概略構造、図１参照）
次に、液晶表示素子の概略構造について添付図面を参照して説明する。図1に示す液晶表示素子は、一対の基板１，２間に液晶層（液晶組成物）１１が挟持されてなる構造を有する。基板１，２のそれぞれの表面には、互いに平行な複数の帯状に形成された透明電極３，４が設けられている。透明電極３，４は互いに交差するように向かい合わされて配置されている。電極３，４上には絶縁性薄膜５がコーティングされている。
【００２８】
さらに、絶縁性薄膜５の上には配向膜７が形成されている。１０はスペース保持部材と基板１，２の接着剤とを兼ねる高分子構造物、１３は同様にスペース保持部材としてのスペーサである。１２は液晶組成物１１をセル内部に封じこめるためのシール材である。また、光を入射させる側と反対側の基板２の外面（裏面）には、必要に応じて黒色の可視光吸収層９が設けられる。なお、可視光吸収層９を設ける代わりに、基板２自体が可視光吸収性を有するものを用いてもよい。
【００２９】
以下、液晶表示素子の主要な構成部材について詳しく説明する。
【００３０】
（基板）
基板１，２はいずれも透光性を有しているが、前記液晶表示素子に用いることができる一対の基板は、少なくとも一方の基板（少なくとも、光を入射させる側の基板１）が透光性を有していればよい。透光性を有する基板としては、ガラス基板、又は、ポリカーボネート、ポリエーテルスルホン、ポリアリレートおよびポリエチレンテレフタレート等のフレキシブル基板を使用することができる。素子の軽量化の観点からはフレキシブル基板を使用することが好ましい。一対の基板のうち少なくとも一方の基板、好ましくは両方の基板としてフレキシブル基板を用いると、軽量で薄型の素子を作製でき、また、破損（割れ）を抑えることができる。
【００３１】
（電極）
電極３，４としては、例えば、ＩＴＯ（Indium Tin Oxide：インジウム錫酸化物）、ＩＺＯ（Indium Zinc Oxide：インジウム亜鉛酸化物）などの透明導電膜や、アルミニウム、シリコン等の金属電極、あるいは、アモルファスシリコン、ＢＳＯ（Bismuth Silicon Oxide）などの光導電性膜等を用いることができる。図1に示す液晶表示素子においては、既述の通り、透明基板１，２の表面に互いに平行な複数の帯状の透明電極３，４が形成されており、これらの電極３，４は互いに交差するように向かい合わされている。電極３，４をこのように形成するには、例えば、基板上にＩＴＯ膜をスパッタリング法などでマスク蒸着するか、ＩＴＯ膜を基板上に全面形成した後、フォトリソグラフィ法でパターニングすればよい。
【００３２】
（絶縁性薄膜）
原理上必須のものではないが、電極間の短絡を防止したり、液晶表示素子のガスバリア性に対する信頼性を向上させたりするために、電極３，４の少なくとも一方に絶縁性薄膜５が形成されていることが好ましい。絶縁性薄膜５としては、例えば、酸化シリコン、酸化チタン、酸化ジルコニウムやそのアルコキシドなどからなる無機膜やポリイミド樹脂、エポキシ樹脂、アクリル樹脂、ウレタン樹脂などの有機膜を例示できる。これらの材料を用いて蒸着法、スピンコート法、ロールコート法などの公知の方法によって形成することができる。さらに、絶縁性薄膜は高分子構造物に用いる高分子樹脂と同じ材料を用いて形成することもできる。
【００３３】
（配向膜）
配向膜７も原理上必須のものではないが、素子の安定化などのために設けておくことが好ましい。配向膜７が形成される場合、電極上に絶縁性薄膜５が形成されているときは絶縁性薄膜５上に、電極上に絶縁性薄膜が形成されていないときは電極上に形成される。配向膜７としては、ポリイミド樹脂、シリコーン樹脂、ポリアミドイミド樹脂、ポリエーテルイミド樹脂、ポリビニルブチラール樹脂、アクリル樹脂などの有機膜や、酸化シリコン、酸化アルミニウムなどの無機膜が例示される。これらの材料を用いて形成した配向膜は、ラビング処置などを施してもよい。さらに、配向膜７は高分子構造物１０に用いる高分子樹脂と同じ材料を用いて形成することもできる。
【００３４】
（スペーサ）
一対の基板１，２間には、該基板間のギャップを均一に保持するためのスペーサ１３が設けられる。スペーサ１３としては、樹脂製又は無機酸化物製の球体を例示できる。例えば、ボール状のガラスやセラミックス粉、あるいは、有機材料からなる球状粒子が挙げられる。また、表面に熱可塑性の樹脂がコーティングしてある固着スペーサも好適に用いられる。
【００３５】
なお、基板１，２間のギャップをより均一に保持するためには、図1に示すように、スペーサ１３と高分子構造物１０との両方を設けることが好ましいが、いずれか一方のみを設けてもよい。スペーサ１３の直径は高分子構造物１０を形成する場合はその高さ以下、好ましくは当該高さに等しい。高分子構造物を形成しない場合はスペーサ１３の直径がセルギャップの厚み、即ち、液晶組成物からなる液晶層１１の厚みに相当する。
【００３６】
（液晶層）
液晶層１１はコレステリック液晶相を示すカイラルネマチック液晶に自己組織型ゲル化剤を含有させた液晶組成物からなる。かかる液晶組成物は、得られる表示素子の選択反射のピーク波長が５００〜７００ｎｍ、特に、５５０〜６５０ｎｍとなるように、液晶組成物の含有成分及び含有割合を調整して、調製されることが好ましい。ピーク波長が５００ｎｍ未満であったり、７００ｎｍを超えると、プレーナー状態での反射率が低下するために高コントラストを達成することが困難になる。自己組織型ゲル化剤を添加したうえで表示素子の選択反射ピークを前記のように設定することで、コントラストを大きく低下させることなく液晶を選択反射状態にしたときの反射率を高めることができる。従って、可視光吸収層９を黒色にすることで、選択反射状態のときに白色、光透過状態のときに黒色を表示する白黒表示可能な表示素子を得るのに非常に適している。
【００３７】
本明細書中、白色度は以下の方法によって得られた値を用いている。即ち、プレーナー状態の液晶から分光分布曲線を測定し、当該分光分布曲線から色度座標（ｘ、ｙ）を求め、Ｄ６５標準（白色：ｘ=０．３１２７、ｙ=０．３２９）からの距離（ｄ）を算出する。この距離をもって白色度と呼んでいる。距離（ｄ）は白さを表すひとつのパラメーターであり、距離（白色度）が小さいほど白色であることを示す。
【００３８】
本実施例において使用されるゲル化剤は自己組織型に属するものであり、詳しくはＵＶ照射などの他の手段なしに、当該ゲル化剤を添加・混合するだけで、自ら組織化し、擬似網目構造を形成し得るものである。自己組織型ゲル化剤を添加することにより、他の手段なしに、添加前よりもコレステリック液晶の流動性を低下させて、その粘度を増大させ得る。
【００３９】
そのような自己組織型ゲル化剤を含有させるため、本実施例の液晶表示素子は長期にわたって、良好な白黒表示が可能でかつ初期の表示色及び優れたコントラストを維持可能であるという顕著な効果が得られる。そのような効果が得られる詳細なメカニズムは必ずしも明らかではないが、ゲル化剤分子が液晶組成物中において分子レベルで均一に分散されやすく、水素結合による擬似網目構造を形成するため、当該網目構造がより細かな緻密性と適度な柔軟性とを有することに基づくものと考えられる。
【００４０】
また、液晶自身を広い波長域にわたって反射率の向上したものを用いることにより白色表示を実現する方法に比べると、セルギャップを厚くする必要がないので低い印加電圧で駆動を行うことができ、材料選択にも制約が少ない。さらに、ゲル化剤を添加しない液晶組成物に比べて広視野角が得られるという利点も有している。
【００４１】
自己組織型ゲル化剤は、自己分子間で水素結合を形成可能な有機化合物であり、例えば、少なくとも分子間水素結合性基を有する有機化合物、好ましくは、分子間水素結合性基及びアルキレン基を有する有機化合物が挙げられる。分子間水素結合性基とともにアルキレン基を有する有機化合物をゲル化剤として使用するとアルキレン基同士の分子間力によって擬似網目構造の形成が促進される。
【００４２】
分子間水素結合性基は当該基を含有分子間で水素結合を形成可能な基であれば特に制限されず、例えば、アミド結合基（−ＮＨＣＯ−）などが挙げられる。分子間水素結合性基は分子内に１個以上、好ましくは２個以上含有されることが望ましい。
【００４３】
アルキレン基は長鎖アルキレン基（以下、Ｒｅとも記す）であり、詳しくは炭素数４以上、好ましくは、６〜２０の２価飽和炭化水素基であり、好ましくは、直鎖状ポリメチレン基（−(ＣＨ2)ｎ−）である。アルキレン基は分子内に１個以上、好ましくは、２個以上含有されることが望ましい。
【００４４】
ゲル化剤は少なくとも分子間水素結合性基、好ましくは、分子間水素結合性基及びアルキレン基を有する有機化合物である限り、その構造は特に制限されない。
【００４５】
そのようなゲル化剤として、例えば、下記一般式（Ｉ）で表される脂環族アミド系化合物、下記一般式（ＩＩ）〜（ＩＶ）で表される脂肪族アミド系化合物、及び、下記一般式（Ｖ）で表される脂肪族ウレア系化合物などが挙げられる。
【００４６】
【化１】
2006201726.tif 000003
【００４７】
式（Ｉ）中、Ｒ１はアルキル基、アリールオキシ基又はアリールアルコキシ基であり、これらの基はシアノ基などの置換基を有していてもよい。
【００４８】
アルキル基は、炭素数１〜３のアルキル基であり、例えば、メチル基、エチル基、ｎ−プロピル基及びｓｅｃ−プロピル基などが挙げられる。アリールオキシ基は、炭素数６〜１４のアリールオキシ基であり、例えば、フェニルオキシ基、ビフェニリルオキシ基、ナフチルオキシ基などが挙げられる。アリールアルコキシ基は、炭素数６〜１４のアリール基１〜２個が、炭素数１〜３のアルコキシ基に置換されてなる１価の基であり、例えば、フェニルメトキシ基、フェニルエトキシ基、フェニルプロポキシ基、ビフェニリルメトキシ基、ビフェニリルエトキシ基、ビフェニリルプロポキシキ基などが挙げられる。好ましいＲ１はアルキル基又はアリールオキシ基である。
【００４９】
Ｒｅは前記長鎖アルキレン基（Ｒｅ）と同様の基であり、好ましい基も前記Ｒｅと同様である。ｍは１〜３の整数、好ましくは２である。ひとつの式中に同一の基が複数個ある場合、それらの基はそれぞれ独立して所定の範囲内から選択されればよい（以下、同様である）。
【００５０】
そのような脂環族アミド系化合物（Ｉ）の好ましい具体例として、以下の化合物が挙げられる。
【００５１】
【化２】
2006201726.tif 000004
【００５２】
また、前記式（ＩＩ)〜(ＩＶ）中、共通する基は同様の基を意味する。Ｒ２は前記Ｒ１と同様の基である。好ましいＲ２はアリールアルコキシ基である。Ｒ３は炭素数１〜３の２価のアルキレン基であり、例えば、メチレン基、ジメチレン基、トリメチレン基等が挙げられる。Ｒ３は置換基を有していてもよく、置換基として、例えば、以下の基が挙げられるが、それらの中でも炭素数３〜５の分枝状アルキル基が好ましい。
【００５３】
【化３】
2006201726.tif 000005
【００５４】
Ｒｅは前記長鎖アルキレン基（Ｒｅ）と同様の基であり、好ましい基も前記Ｒｅと同様である。Ｒ４は前記Ｒ１と同様の基である。好ましいＲ４はアルキル基である。Ｒ５は前記Ｒ３と同様の基である。好ましいＲ５は置換基を有しないアルキレン基である。ｎは０〜３、好ましくは０〜１の整数である。
【００５５】
そのような脂肪族アミド系化合物（ＩＩ）〜（ＩＶ）の好ましい具体例として、以下の化合物が挙げられる。
【００５６】
【化４】
2006201726.tif 000006
【００５７】
前記式（Ｖ）中、Ｒ６は前記Ｒ４と同様であり、好ましい基も前記Ｒ４と同様である。Ｒｅは前記長鎖アルキレン基（Ｒｅ）と同様の基であり、好ましい基も前記Ｒｅと同様である。Ｒ７は前記Ｒ５と同様であり、好ましい基も前記Ｒ５と同様である。
【００５８】
そのような脂肪族ウレア系化合物（Ｖ）の好ましい具体例として、以下の化合物が挙げられる。
【００５９】
【化５】
2006201726.tif 000007
【００６０】
これらの化合物は公知の合成方法に従って合成することができる。
【００６１】
前記の中で好ましいゲル化剤は脂環族アミド系化合物（Ｉ）である。
【００６２】
ゲル化剤の含有量は本発明の目的を達成できる限り特に制限されるものではなく、例えば、カイラルネマチック液晶及びゲル化剤の合計量に対して１．０〜４．０重量％が適当である。この範囲に設定されると、黒表示時のＹ値を低減することができ、結果としてコントラストをより有効に向上できる。
【００６３】
ゲル化剤が含有されるカイラルネマチック液晶は室温においてコレステリック液晶相を示すものであり、ネマチック液晶とカイラル剤からなる。
【００６４】
ネマチック液晶としては、特に制限されず、従来から液晶表示素子の分野で知られているネマチック液晶が使用可能である。そのようなネマチック液晶材料としては、例えば、液晶性エステル化合物、液晶性ピリミジン化合物、液晶性シアノビフェニル化合物、液晶性トラン化合物、液晶性フェニルシクロヘキサン化合物、液晶性ターフェニル化合物、並びに、フッ素原子、フルオロアルキル基及びシアノ基などの極性基を有する他の液晶性化合物、及びそれらの混合物などが挙げられる。
【００６５】
カイラル剤としては、液晶表示素子の分野で従来から知られている種々のものが使用可能である。例えば、コレステリック環を有するコレステリック化合物、ビフェニル骨格を有するビフェニル化合物、ターフェニル骨格を有するターフェニル化合物、二つのベンゼン環がエステル結合によって連結されてなる骨格を有するエステル化合物、シクロヘキサン環がベンゼン環に直接的に連結されてなる骨格を有するシクロヘキサン化合物、ピリミジン環がベンゼン環に直接的に連結されてなる骨格を有するピリミジン化合物、二つのベンゼン環がアゾキシ結合又はアゾ結合によって連結されてなる骨格を有するアゾキシ又はアゾ化合物などが挙げられる。
【００６６】
カイラル剤の含有量は、特に制限されず、通常、カイラルネマチック液晶及びゲル化剤の合計量に対して３〜４０重量％である。
【００６７】
液晶組成物には、紫外線吸収剤などの添加剤をさらに添加してもよい。紫外線吸収剤は液晶組成物の紫外線劣化、例えば、経時に伴なう退色や応答性の変化などを防止するものである。例えば、ベンゾフェノン化合物、ベンゾトリアゾール化合物、サリシレート化合物などの材料が使用可能である。添加量は、カイラルネマチック液晶及びゲル化剤の合計量に対して、５重量％以下、好ましくは３重量％以下である。
【００６８】
このような液晶組成物は各材料を所定の比率で混合して得られる。液晶組成物は所望により、イオン交換樹脂・吸着剤などと接触させて精製を行い水分や不純物を除去した後で、素子の製造に用いるとよい。
【００６９】
（シール材）
シール材１２は液晶組成物１１が基板１，２の間から外に漏れないように封入するためのものであり、エポキシ樹脂、アクリル樹脂などの熱硬化性樹脂又は光硬化性接着剤などを使用することができる。
【００７０】
（高分子構造物）
高分子構造物１０は、円柱状体、楕円柱状体、四角柱状体など、形状はどのようなものでもよく、また、その配置はランダムであってもよいし、格子状などの規則性を有するものであってもよい。このような高分子構造物を設けることにより、基板間ギャップを一定に保つことが容易になり、また、液晶表示素子自身の自己保持性を高めることができる。特に、ドット形状の高分子構造物を一定間隔で配置すると、表示性能を均一化しやすい。高分子構造物１０の高さはセルギャップの厚み、即ち、液晶組成物からなる液晶層１１の厚みに相当する。液晶層１１を挟持する基板１，２としてフレキシブルな樹脂製基板を用いる場合に高分子構造物１０を設けることが特に効果的である。
【００７１】
高分子構造物１０を形成するには、紫外線硬化型モノマーからなるホトレジスト材料などの光硬化性樹脂材料を用いて、所望の厚さで基板の最表面膜（絶縁性薄膜、配向膜）に塗布し、これにマスクを通して紫外線を照射するなどしてパターン露光を行い、未硬化部分を除去するいわゆるフォトリソグラフィ法を用いることができる。
【００７２】
また、熱可塑性樹脂を適当な溶剤に溶かした樹脂材料などを用いて、熱可塑性樹脂からなる高分子構造物を形成してもよい。この場合、スクリーン版やメタルマスク等を用いて熱可塑性樹脂材料をスキージで押し出すことにより基板上に印刷を行う印刷法や、デイスペンサ法やインクジェット法などの、樹脂材料をノズルの先から基板上に吐出して形成する方法、あるいは、樹脂材料を平板あるいはローラ上に供給した後、これを基板表面に転写する転写法などにより高分子構造物を配置することができる。
【００７３】
（散乱層）
散乱層（図示せず）を基板１の表面（図中、上面）及び／又は基板２と可視光吸収層９との間に設けてもよい。散乱層を設けることによって、白表示時の散乱度合いが上がり、白色度が向上する。散乱層としては、例えば、製品名ＦＴ−０１４（ポラテクノ社製）などが挙げられる。
【００７４】
液晶表示素子におけるセルギャップの厚み、即ち、液晶組成物からなる液晶層１１の厚みは、大きくなるほど白表示時の反射率は大きくなるが、駆動電圧や黒表示時の反射率も大きくなる。よって、セルギャップの厚みは２〜５０μｍであってよいが、３〜１５μｍが好ましい。そのような好ましい範囲とすることにより、比較的低い印加電圧でも高コントラストを達成できるという本発明の効果をより有効に得ることができるためである。
【００７５】
（製造方法）
前記液晶表示素子の第１の製造方法は、ゲル化剤を含有するカイラルネマチック液晶を加熱した状態で少なくとも一方の基板上に広げて液晶層を形成する。液晶組成物の封入に際しては、以下の方法を採用すればよい。
【００７６】
（１）加熱された液晶組成物を液晶表示素子の空セルに真空注入し、その後注入孔を塞ぐ。液晶組成物は熱可逆性である。液晶表示素子の空セルは、液晶表示素子の前記所定の構成部材が形成された２枚の基板を、それらの部材形成面が互いに対向するように重ね合わせて加熱及び／又は加圧することにより作製可能である。
【００７７】
（２）加熱された液晶組成物を、液晶表示素子の前記所定の構成部材が形成された２枚の基板のうち、一方の基板上に、スピンコーター、バーコーター、ロールコーターなどの塗布装置により塗布してもよいし、または、単に滴下してもよい。その後、他方の基板を重ね合わせ、加圧及び／又は加熱により封入する。
【００７８】
いずれの場合も加熱により液晶組成物が流動性を増すので、基板間への注入や基板上への液晶層の形成が短時間で容易に行える。
【００７９】
前記液晶表示素子の第２の製造方法は、ゲル化剤を含有し室温で流動性を有するカイラルネマチック液晶を非加熱の状態で基板上に広げて液晶層を形成する。ゲル化剤の添加量が少なく、液晶組成物が室温で流動性を示す場合には、この第２の製造方法を用いることができる。
【００８０】
第２の製造方法においては、前記（１）のように真空注入させたり、前記（２）のように一方の基板上に塗布したり、滴下後に他方の基板を重ねる際に、加熱を行わず室温で行うので製造工程がより簡素化される。
【００８１】
なお、前記実施例として示した液晶表示素子は前述のとおり、特に白黒表示に適した、一つの液晶表示層を有するものであるが、本発明は、これに限られるものではなく、２層以上の表示層を含むものにも適用することは可能である。例えば、青色の選択反射を行う表示層と黄色の選択反射を行う表示層とを積層し両者を同時に駆動可能として白黒表示を行う積層型モノクロ表示素子が挙げられる。また、青色の選択反射を行う表示層、緑色の選択反射を行う表示層及び赤色の選択反射を行う表示層を積層し、各表示層をそれぞれ個別に駆動可能とした積層型のフルカラー表示可能な液晶表示素子も例示できる。また、液晶表示層を４層積層した表示素子として、前記３層積層型フルカラー表示装置において黄色の選択反射を行う表示層を追加したものを例示できる。
【００８２】
（他の液晶組成物）
前記実施例では、液晶のドメインサイズを制御する添加物として自己組織型ゲル化剤を用いているが、これに限るものではなく、ゼラチン水溶液と界面活性剤を用いることができる。以下に、このような添加物について説明する。
【００８３】
添加物であるゼラチンは、液晶層のバインダとして機能し、硬膜処理されたゼラチン又はゼラチン誘導体である。
【００８４】
用いることのできるゼラチンとしては、酸処理ゼラチン、アルカリ処理ゼラチンの他に、ゼラチンの製造過程で酵素処理をする酵素処理ゼラチン及びゼラチン誘導体、即ち、分子中に官能基としてのアミノ基、イミノ基、ヒドロキシル基、カルボキシル基を持ち、それと反応して得る基を持った試薬で処理し改質したものでもよい。
【００８５】
ゼラチンの一般的製造法に関してはよく知られており、例えばT.H.James：The Theory of Photographic Process 4th. ed. 1977（Macmillan）５５項、科学写真便覧（上）７２〜７５項（丸善）、写真工学の基礎−銀塩写真編１１９〜１２４（コロナ社）などの記載を参考にすることができる。
【００８６】
バインダとしてゼラチンを用いる場合、好ましい硬膜剤の例としては、米国特許第４，６７８，７３９号第４１欄、同４，７９１，０４２号、特開昭５９−１１６６５５号公報、同６２−２４５２６１号公報、同６１−１８９４２号公報、同６１−２４９０５４号公報、同６１−２４５１５３号公報、特開平４−２１８０４４号公報などに記載の硬膜剤が挙げられる。
【００８７】
より具体的には、アルデヒド系硬膜剤（例えば、ホルムアルデヒドなど）、アジリジン系硬膜剤、エポキシ系硬膜剤、ビニルスルホン系硬膜剤（例えば、Ｎ，Ｎ′−エチレン−ビス（ビニルスルホニルアセタミド）エタンなど）、Ｎ−メチロール系硬膜剤（例えば、ジメチロール尿素など）、ほう酸、メタほう酸あるいは高分子硬膜剤（例えば、特開昭６２−２３４１５７号公報などに記載の化合物）が挙げられる。これらの硬膜剤の中で、ビニルスルホン型硬膜剤やクロロトリアジン型硬膜剤を単独又は併用して使用することが好ましい。これらの硬膜剤は、バインダー１重量部あたり０．００１〜１重量部、好ましくは０．００５〜０．５重量部が用いられる。
【００８８】
また、液晶組成物は、マイクロカプセルに内包させた状態で用いることができる。この種のマイクロカプセルの製法としては、コアセルベーション法、界面重合法、ｉｎ−ｓｉｔｕ法等の公知の方法を用いることができる。これらの中でコアセルベーション法による製法は油相である液晶組成物への化学的影響が少なく好ましく用いることができる。
【００８９】
バインダーの一つとしてゼラチンを用いる場合、アラビアゴム、アルギン酸ナトリウム、カラギーナン、カルボキシメチルセルロース、寒天、ポリビニルベンゼンスルホン酸、無水マレイン酸共重合体、その他界面活性剤との疎水性相互作用によるコアセルベートでき、コアセルベート後は、ホルムアルデヒドや、前記のゼラチン硬膜剤を用いてゼラチン硬化反応を行わせることにより、コアセルベートしたゼラチン複合膜を硬化でき、マイクロカプセル壁の強度を向上させることができる。
【００９０】
また界面重合法は、ポリアミン、多価フェノール等と多塩基酸ハライド、ポリイソシアネートなどを水相と油相界面で重合してマイクロカプセル壁を形成することができる。
【００９１】
また、ｉｎ−ｓｉｔｕ重合方法としては、尿素−メラミンなどに用いられるアミド樹脂、フェノール樹脂の単独またはその共重合体をホルムアルデヒド、グルタルアルデヒドで架橋してマイクロカプセルを形成させることができる。
【００９２】
マイクロカプセル壁には、ポリエチレン、ポリプロピレン、ポリスチレン、ポリ塩化ビニル、ポリ塩化ビニルデン、塩化ビニル−酢酸ビニル共重合体、ポリビニルブチラール、ポリビニルアルコール、ポリエチレンオキシド、ポリプロピレンオキシド、エチレン−ビニルアルコール共重合体、ポリアセタール、アクリル樹脂、メチルセルロース、エチルセルロース、フェノール樹脂、フッ素樹脂、シリコーン樹脂、ジエン樹脂、ポリスチレン系熱可塑性エラストマー、ポリオレフィン系熱可塑性エラストマー、ポリウレタン系熱可塑性エラストマー、ポリエステル系熱可塑性エラストマー、ポリフェニレンエーテル、ポリフェニレンスルフィド、ポリエーテルスルホン、ポリエーテルケトン、ポリアリレート、アラミド、ポリイミド、ポリ−ｐ−フェニレン、ポリ−ｐ−キシレン、ポリ−ｐ−フェニレンビニレン、ポリヒダントイン、ポリパラバン酸、ポリベンゾイミダゾール、ポリベンゾチアゾール、ポリベンゾオキサジアゾール、ポリキノキサリンなどを共存させることにより、マイクロカプセル壁強度を向上させることができる。
【００９３】
前記マイクロカプセルは、溶液系で調製した後、乾燥して分級することができる。分級の方法としては、スプレードライヤ、ロータリー乾燥機、バンド乾燥機などが挙げられる。
【００９４】
（駆動回路、図２及び図３参照）
液晶表示素子の液晶表示層に駆動電圧を印加する駆動回路の１例を図２に示し、該駆動回路の詳細な構成を図３に示す。なお、図３に示したロジック電源、ロジックレベルシフタは図２では図示を省略している。液晶表示素子及び図２に示す駆動回路などによって液晶表示装置が構成される。
【００９５】
図２及び図３に示す駆動回路は、走査駆動ＩＣ（ドライバ）１３１、信号駆動ＩＣ（ドライバ）１３２、制御部ＣＯＮＴ及び電源１４０を含んでいる。制御部ＣＯＮＴは、全体の制御を行う中央処理装置（ＣＰＵ）１３５と、駆動ＩＣ１３１，１３２を制御するＬＣＤコントローラ１３６と、画像データに各種の処理を施す画像処理装置１３７と、画像データを記憶する画像メモリ１３８とを備えており、電源１４０から電力が供給される。ＣＰＵ１３５には制御プログラムや各種データを記憶したＲＯＭ及び各種データを記憶するＲＡＭが内蔵されている。駆動ＩＣ１３１，１３２も電源１４０に接続されている。
【００９６】
制御部ＣＯＮＴは、信号駆動ＩＣ１３２に接続されているとともに、ロジックレベルシフタを介して走査駆動ＩＣ１３１に接続されている。なお、ロジックレベルシフタは走査駆動ＩＣ１３１に供給する電圧に対応するグランド（ＧＮＤ）が０Ｖであるべきところ電位が変化したときの補償のために該電位をシフトさせ、０Ｖに戻す回路である。ＬＣＤコントローラ１３６はＣＰＵ１３５からの指示により、画像メモリ１３８を参照しながら各駆動ＩＣ１３１，１３２を駆動する。
【００９７】
液晶表示装置内には、液晶表示素子近傍の環境温度を測定するための温度センサ１５０が設けられており、中央処理装置１３５に環境温度情報を与えるようになっている。
【００９８】
この液晶表示装置では、画像メモリ１３８に記憶された画像データに基づいてＬＣＤコントローラ１３６が駆動ＩＣ１３１，１３２を制御し、液晶表示素子のそれぞれの走査電極及び信号電極間に順次電圧を印加し、液晶表示素子に画像を書き込む。
【００９９】
なお、図２では、液晶表示素子の液晶表示層に駆動ＩＣ１３１，１３２を接続した状態を示しているが、液晶表示層を複数層有する液晶表示装置の場合には、かかる駆動ＩＣ１３１，１３２は各表示層ごとにそれぞれ設けられる。例えば、液晶表示層が３層ある場合は３系統設ければよい。しかし、各表示層ごとにそれぞれＩＣ１３１，１３２を設ける代わりに、駆動ＩＣ１３１又は１３２のいずれかを各表示層で共用することも可能である。
【０１００】
液晶表示素子の画素構成は、図２に示すように、複数本の走査電極Ｒ１，Ｒ２〜Ｒｍ（図１では符号３）と信号電極Ｃ１，Ｃ２〜Ｃｎ（図１では符号４）（ｍ，ｎは自然数）とのマトリクスで表される。走査電極Ｒ１，Ｒ２〜Ｒｍは走査駆動ＩＣ１３１の出力端子に接続され、信号電極Ｃ１，Ｃ２〜Ｃｎは信号駆動ＩＣ１３２の出力端子に接続されている。
【０１０１】
走査駆動ＩＣ１３１は、既述のとおり走査電極Ｒ１，Ｒ２〜Ｒｍに接続される一方、制御部ＣＯＮＴに接続されるとともに電源１４０に接続され、制御部ＣＯＮＴの指示のもとに電源１４０から出力される複数種類からなる一群の電圧パルス、ここでは、リセット電圧（＋Ｖ１，−Ｖ１）、選択信号電圧（＋Ｖ２，−Ｖ２）、維持電圧（＋Ｖ３，−Ｖ３）を走査電極Ｒ１，Ｒ２〜Ｒｍに印加する。リセット電圧、選択信号電圧、維持電圧はここではいずれもパルス電圧である。
【０１０２】
走査電極に駆動電圧＋Ｖ１〜＋Ｖ３，−Ｖ１〜−Ｖ３のそれぞれを供給するために接続線の途中には、いずれも該電圧に対応するグランド（ＧＮＤ）に接続された電圧安定化用のコンデンサＣが接続されている。なお、走査駆動ＩＣ１３１に接続されているロジック電源は走査駆動ＩＣ１３１に電力を供給するための電源である。
【０１０３】
信号駆動ＩＣ１３２は、既述のとおり信号電極Ｃ１，Ｃ２〜Ｃｎに接続される一方、制御部ＣＯＮＴに接続されるとともに電源１４０に接続され、制御部ＣＯＮＴの指示のもとに電源１４０から出力される駆動電圧、即ち、書換え信号電圧（＋Ｖ４，−Ｖ４）を信号電極Ｃ１，Ｃ２〜Ｃｎに印加する。
【０１０４】
さらに説明すると、走査駆動ＩＣ１３１は、制御部ＣＯＮＴの指示のもとに走査電極Ｒ１，Ｒ２〜Ｒｍのうち所定のものに選択信号を出力して選択状態とする一方、他の電極には非選択信号を出力して非選択状態とする。走査駆動ＩＣ１３１は、所定の時間差をおいて電極を切り替えながら所定の順序で順次各走査電極Ｒ１，Ｒ２〜Ｒｍに選択信号を印加する。一方、信号駆動ＩＣ１３２は、制御部ＣＯＮＴの指示のもとに選択状態にある走査電極Ｒ１，Ｒ２〜Ｒｍ上の各画素を書き換えるべく、画像データに応じた信号を各信号電極Ｃ１，Ｃ２〜Ｃｎに同時に出力する。
【０１０５】
例えば、走査電極Ｒａが選択されると（ａはａ≦ｍを満たす自然数）、この走査電極Ｒａと各信号電極Ｃ１，Ｃ２〜Ｃｎとの交差部分の画素ＬＲａ−Ｃ１〜ＬＲａ−Ｃｎが同時に書き換えられる。これにより、各画素における走査電極に印加される選択パルスと信号電極に印加される信号パルスとの電圧差が画素書換えのための電圧となり、各画素がこの電圧に応じて書き換えられる。
【０１０６】
制御部ＣＯＮＴは、液晶表示素子のマトリクス駆動のための各フレームの走査において走査電極Ｒ１，Ｒ２〜Ｒｍへ印加する駆動電圧の極性を、各フレームにおいては単一極性とし、フレームごとに反転させるように走査駆動ＩＣ１３１を制御する。さらに言えば、ここでは奇数番目フレームの走査においては走査駆動ＩＣ１３１にて正のリセットパルス＋Ｖ１、正の選択パルス＋Ｖ２及び正の維持パルス＋Ｖ３という一群の電圧を順次各走査電極Ｒ１，Ｒ２〜Ｒｍに印加するとともに、信号駆動ＩＣ１３２にて信号パルス±Ｖ４を各信号電極Ｃ１，Ｃ２〜Ｃｎに印加する。偶数番目フレームの走査においては走査駆動ＩＣ１３１にて負のリセットパルス−Ｖ１、負の選択パルス−Ｖ２及び負の維持パルス−Ｖ３という一群のパルス電圧を順次各走査電極Ｒ１，Ｒ２〜Ｒｍに印加するとともに信号駆動ＩＣ１３２にて信号パルス±Ｖ４を各信号電極Ｃ１，Ｃ２〜Ｃｎに印加する（図４〜図６参照）。
【０１０７】
このとき、選択パルス（＋Ｖ２，−Ｖ２）の印加期間Ｔｓｐは走査期間Ｔｓｓの２分の１とし、信号パルス±Ｖ４を走査期間Ｔｓｓ内で極性が変化する電圧であって正負の実効電圧が走査期間Ｔｓｓ内において等しい又は略等しい電圧とする。さらに、信号パルスが、走査期間内で正電圧である時間の合計と負電圧である時間の合計のそれぞれが選択パルスの印加期間Ｔｓｐと同じ長さになるようにする。制御部ＣＯＮＴは選択パルス（＋Ｖ２，−Ｖ２）の印加期間Ｔｓｐを走査期間Ｔｓｓの２分の１とするように走査駆動ＩＣ１３１を制御し、信号パルス±Ｖ４を走査期間Ｔｓｓ内で極性が変化するとともに正負の実効電圧が走査期間Ｔｓｓ内において等しい又は略等しい電圧とし、かつ、該信号パルスが、走査期間内で正電圧である時間の合計と負電圧である時間の合計のそれぞれが選択パルス（＋Ｖ２，−Ｖ２）の印加期間と同じ長さになるように信号駆動ＩＣ１３２を制御する。これについては後述する駆動原理及び基本駆動例のところで詳しく説明する。
【０１０８】
なお、ここでは信号パルス±Ｖ４は、デューティ比が５０％で、さらに正負電圧（＋Ｖ４，−Ｖ４）の絶対値が同じである矩形パルスとしている。
【０１０９】
以上説明した駆動回路においては、電源１４０は正負両方の電圧を走査駆動ＩＣ１３１に少なくとも駆動動作中常に供給する電源であり、走査電極Ｒ１，Ｒ２〜Ｒｍへの駆動電圧の印加は電源１４０に接続された走査駆動ＩＣにより行っている。しかし、それに限定されるものではなく、走査電極Ｒ１，Ｒ２〜Ｒｍへの駆動電圧の印加を出力電圧の正負切り替え可能である電源に接続された走査駆動ＩＣにより行ってもよい。
【０１１０】
図７及び図８に駆動回路の他の構成例を示す。図７及び図８に示す回路構成では、図３に示した回路構成において電源１４０と走査駆動ＩＣとの間に電源切替回路１４１を配置してある。電源１４０と電源切替回路１４１とで出力電圧の正負切り替え可能である電源１４０’を構成している。電源１４０’は制御部ＣＯＮＴに接続されており、４個のスイッチング素子ＳＷ１〜ＳＷ４を有している。
【０１１１】
素子ＳＷ１〜ＳＷ４は、制御部ＣＯＮＴの指示のもと、正の電圧を印加する状態（図７及び図８中１側）又は負の電圧を印加する状態（同図中２側）に同時に切り替えられ、１側の状態にあるときは電源１４０からの正の電圧＋Ｖ１、＋Ｖ２、＋Ｖ３を、２側の状態にあるときは電源１４０からの負の電圧−Ｖ１、−Ｖ２、−Ｖ３を走査駆動ＩＣ１３１に供給できる。
【０１１２】
図７及び図８に示す回路構成では、制御部ＣＯＮＴは走査駆動ＩＣ１３１に供給する電圧をフレームごとに正の電圧＋Ｖ１，＋Ｖ３，＋Ｖ２から負の電圧−Ｖ２，−Ｖ３，−Ｖ１に、または、その逆に切り替えることで走査電極へ印加する駆動電圧の極性を、各フレームにおいては単一極性とし、フレームごとに反転させるように電源１４０’及び走査駆動ＩＣ１３１を制御する。この駆動回路によると、簡単な回路構成で液晶表示素子の駆動を実現できる。なお、図７は素子ＳＷ１〜ＳＷ４が１側に切り替えられた奇数番目フレームの状態を示しており、図８は素子ＳＷ１〜ＳＷ４が２側に切り替えられた偶数番目フレームの状態を示している。
【０１１３】
画像の書換えは通常全ての走査ラインを順次選択して行う。部分的に書き換える場合は、書き換えるべき部分を含むように特定の走査ラインのみを順次選択すればよい。これにより、必要な部分のみを短時間で書き換えることができる。図７及び図８に示す回路構成では、走査駆動ＩＣ１３１に供給される電圧は、図３に示した回路構成に比べて２分の１になっている。従って、走査駆動ＩＣ１３１は図３の構成よりも安価な耐圧の低いものを使用することが可能である。
【０１１４】
（駆動方法及び駆動例、図４〜図６及び図９〜図１１参照）
まず、前記液晶表示素子の駆動方法について説明する。なお、ここでは、パルス波形を用いた具体例を挙げて説明するが、駆動方法がこの波形に限定されないことはいうまでもない。
【０１１５】
図４（Ａ）は走査駆動ＩＣ１３１から各走査電極に出力される奇数番目フレームの基本駆動波形の一例を示し、図４（Ｂ）は走査駆動ＩＣ１３１から各走査電極に出力される偶数番目フレームの基本駆動波形の一例を示している。
【０１１６】
また、図５及び図６は走査駆動ＩＣ１３１から各走査電極（ロウ電極）に出力される電圧波形、信号駆動ＩＣ１３２から一部の信号電極（カラム電極）に出力される電圧波形、及びこれらの電圧により各画素に対応する液晶（ＬＣＤ１〜ＬＣＤ２８として示す）に印加される電圧波形を示し、図５に該電圧波形のうちの奇数番目フレームのためのものを、図６に該電圧波形のうちの偶数番目フレームのためのものを示す。
【０１１７】
図５及び図６では、複数の走査電極（２８本のロウ１，２〜２８）に順次選択パルスを出力し、複数の信号電極のうちの一つを抜き出した一の信号電極（カラムｂ（ｂはｂ≦ｎを満たす自然数）として示す）について、該カラムｂから信号パルスを出力する駆動例を示している。
【０１１８】
カラムｂから出力される信号パルス波形は、ここではいずれの走査期間Ｔｓｓにおいても液晶の選択反射状態を選択するパルスが順次出力されるものとして図示しているが、各走査期間Ｔｓｓにおいて液晶の透明状態、液晶の選択反射状態及びそれらの混在状態をそれぞれ選択する信号パルス波形をカラムｂから出力することもできる。これについてはのちほど詳述する。
【０１１９】
また、図中ＬＣＤ１，２〜２８は走査電極（ロウ１，２〜２８）と信号電極（カラムｂ）とが交差する画素に対応する液晶であり、該画素に対応する液晶に印加される電圧波形が示されている。なお、液晶には信号電極に印加される信号パルスによるクロストークパルスが印加される。これについても後述説明する。図５及び図６ではクロストークパルスが印加される領域は太線で示している。
【０１２０】
この駆動では、既述したように、各フレームの走査において走査電極（ロウ１，２〜２８）に印加する駆動電圧の極性を、各フレームにおいては単一極性とし、フレームごとに反転させている。例えば、走査電極（ロウ１，２〜２８）のうちの最初の走査電極１から最後の走査電極２８までの１回の走査が完了する１フレームの走査においては前記駆動電圧を単一極性とし、各フレームごとに前記駆動電圧の極性を反転させている。
【０１２１】
駆動期間は、大きく分けて、リセット期間Ｔｒｓと、選択期間Ｔｓと、維持期間Ｔｒｔと、表示期間Ｔｉとから構成されている。選択期間Ｔｓは、必ずしもそうである必要はないが、ここではさらに、走査期間Ｔｓｓと、前選択期間Ｔｓｚ及び後選択期間Ｔｓｚ’を含んでいる。
【０１２２】
これらの期間は、液晶の温度による応答性を補償するように、高温になるほど短く、低温になるほど長くなるように調整される。これによって各パルスの幅（長さ）も変化する。かかる調整は前記温度センサ１５０で検出され、中央処理装置１３５に入力される温度情報に基づいて行われる。
【０１２３】
図示例では、Ｔｓｚ＝Ｔｓｚ’であり、従って走査期間Ｔｓｓは選択期間Ｔｓの中央部を占める〔Ｔｓ−（Ｔｓｚ＋Ｔｓｚ’）〕の期間である。ここでＴｓｓ＝Ｔｓｚ＝Ｔｓｚ’であるとすると、前記のとおりＴｓｓ＝２×Ｔｓｐであるから、選択パルス印加期間Ｔｓｐは選択期間Ｔｓの６分の１を占めることになる。このようにＴｓｐ／Ｔｓが１／６の場合を１／６駆動と称する。
【０１２４】
なお、Ｔｓｐ／Ｔｓは１／６に限定されるものではなく、例えば液晶の温度による応答性の変化を補償するように、液晶表示素子又はその近傍の温度に応じて、該温度が所定温度域より高くなれば例えば１／２（１／２駆動）に、所定温度域より低くなれば例えば１／１０（１／１０駆動）などに変更されてもよい。
【０１２５】
いずれにしても選択期間Ｔｓはリセット期間Ｔｒｓの終了から維持期間Ｔｒｔの開始までの期間である。そして、リセット期間Ｔｒｓの終了から維持期間Ｔｒｔの開始までの時間Ｔｓ〔ｍｓ〕（ここでは選択期間Ｔｓに同じ）と該液晶がホメオトロピック状態から螺旋溝造状態に遷移するまでの期間Ｔｌｃ〔ｍｓ〕との比率Ｔｓ／Ｔｌｃが０．７≦Ｔｓ／Ｔｌｃ≦１．３の関係式を満たすように期間Ｔｓ〔ｍｓ〕が定められている。
【０１２６】
図４〜図６に示すように、基本駆動波形において、リセット期間Ｔｒｓではリセットパルス（奇数番目フレームでは正パルス＋Ｖ１、偶数番目フレームでは負パルス−Ｖ１）が印加される。選択期間Ｔｓにおいては、選択パルス印加期間Ｔｓｐで選択パルス（奇数番目フレームでは正パルス＋Ｖ２、偶数番目フレームでは負パルス−Ｖ２）が印加される。さらに、この期間Ｔｓｐを含む走査期間Ｔｓｓでは信号駆動ＩＣ１３２から信号パルス±Ｖ４が重畳される。この信号パルス±Ｖ４は画像データに基づいて印加タイミングが変調される電圧パルスである。信号パルス±Ｖ４は、ここでは、デューティ比が５０％で、さらに、正負電圧（＋Ｖ４，−Ｖ４）の絶対値が同じである矩形パルスである。
【０１２７】
また、基本駆動波形において、前選択期間Ｔｓｚ及び後選択期間Ｔｓｚ’は電圧ゼロの期間である。さらに、維持期間Ｔｒｔでは維持パルス（奇数番目フレームでは正パルス＋Ｖ３、偶数番目フレームでは負パルス−Ｖ３）が印加される。
【０１２８】
液晶の動作は以下のとおりである。まず、リセット期間Ｔｒｓで＋Ｖ１（奇数番目フレーム）又は−Ｖ１（偶数番目フレーム）のリセットパルスが印加されると、液晶はホメオトロピック状態にリセットされる。次に、前選択期間Ｔｓｚを経て（液晶は捩じれが少しだけ戻る）選択パルス印加期間Ｔｓｐに到る。ここで印加される選択パルスの波形は、最終的にプレーナ状態を選択する画素と、フォーカルコニック状態を選択する画素と、両状態が混在した状態を選択する画素とで異なる。
【０１２９】
図４〜図６にはプレーナ状態を選択する場合について示しているが、フォーカルコニック状態を選択する場合には、信号パルスの位相をプレーナ状態を選択する場合より半周期分ずらせばよく（図１０参照）、両状態の混在状態（中間調）を選択するには、信号パルスの位相を半周期より短くあるいは長くずらせばよい。例えば１／４周期分ずらせばよい（図１１参照）。
【０１３０】
まず、プレーナ状態を選択する場合を説明する。この場合には、液晶に選択パルス印加期間Ｔｓｐで〔（＋Ｖ２）−（−Ｖ４）〕（奇数番目フレーム）（図５及び図９参照）又は〔（−Ｖ２）−（＋Ｖ４）〕（偶数番目フレーム）（図６参照）の電圧を印加し、再び液晶をホメオトロピック状態にする。その後、後選択期間Ｔｓｚ’で液晶は捩じれが少しだけ戻った状態になる。その後、維持期間Ｔｒｔで＋Ｖ３（奇数番目フレーム）又は−Ｖ３（偶数番目フレーム）の維持パルスを印加すると、先の後選択期間Ｔｓｚ’で捩じれが少しだけ戻った状態になった液晶は、維持パルスが印加されることにより再び捩じれが解け、ホメオトロピック状態になる。なお、図９〜図１１においてＬＣＤｘは、ロウａに出力される選択パルス波形及びカラムｂに出力される信号パルス波形の双方が印加される画素をあらわしている。
【０１３１】
ここで、維持パルスが印加されてホメオトロピック状態の液晶は維持パルスの印加が停止され電圧をゼロにする（即ち、表示期間に移る）ことによりプレーナ状態となり、プレーナ状態のまま固定される。
【０１３２】
一方、最終的にフォーカルコニック状態を選択する場合には、選択パルス印加期間Ｔｓｐで〔（＋Ｖ２）−（＋Ｖ４）〕（奇数番目フレーム）（図１０参照）又は〔（−Ｖ２）−（−Ｖ４）〕（偶数番目フレーム）の電圧を印加する。そして、後選択期間Ｔｓｚ’では、液晶は捩じれが戻ってヘリカルピッチが２倍程度に広がった状態になる。
【０１３３】
その後、維持期間Ｔｒｔで維持パルス＋Ｖ３（奇数番目フレーム）又は−Ｖ３（偶数番目フレーム）を印加する。後選択期間Ｔｓｚ’で捩じれが戻ってきた液晶は、この維持パルスを印加することにより、フォーカルコニック状態へと遷移する。ここで、フォーカルコニック状態の液晶は電圧をゼロにしても、フォーカルコニック状態のまま固定される。
【０１３４】
中間調状態を選択するには、例えば、信号パルスの位相を１／４周期分ずらすときには、奇数番目フレームについては図１１に示すように、選択パルス印加期間Ｔｓｐの１／２の期間で〔（＋Ｖ２）−（＋Ｖ４）〕を、引き続き残る１／２の期間で〔（＋Ｖ２）−（−Ｖ４）〕を印加し、偶数番目フレームについてはＴｓｐ／２の期間で〔（−Ｖ２）−（−Ｖ４）〕を、引き続き残るＴｓｐ／２の期間で〔（−Ｖ２）−（＋Ｖ４）〕を印加すればよい。
【０１３５】
以上説明した液晶表示装置によると、液晶表示素子のマトリクス駆動のための各フレームの走査において走査電極へ印加する駆動電圧の極性を、各フレームにおいては単一極性とし、フレームごとに反転させるので、それだけ各フレームにおいて液晶に印加される電圧の単一極性の状態が連続して続く時間を長くできる。
【０１３６】
これにより、液晶に印加する電圧として、例えば、各フレームにおいて電圧波形の極性が周期的に変化する交番電圧を採用する場合に比べ、液晶に印加される電圧の実質的な波形繰り返し周波数を下げることができるとともに、走査電極へ印加する駆動電圧の電圧値を２分の１にすることができ、それだけ液晶表示素子を駆動するための消費電力を低下させることができる。従って、液晶表示素子を駆動するための消費電力を小さくできる。
【０１３７】
なお、図５及び図６の太線で示すように、どの画素に対応する液晶ＬＣＤ１，ＬＣＤ２〜ＬＣＤ２８に印加される電圧波形も他の走査電極上の画素の書換えのために信号電極に信号パルスが印加されている間は信号パルスによるクロストークを受ける。
【０１３８】
信号パルスは書き込まれた表示内容が変化する閾値よりも小さく設定されているので、クロストークによって大きく画像が劣化することはない。しかし、ここではロウａに印加される選択パスルを、印加期間Ｔｓｐを走査期間Ｔｓｓの２分の１にした電圧とし、カラムｂに印加される信号パルスを、デューティ比が５０％で、さらに正負電圧の絶対値が同じである矩形パルスとすることで、各画素に対応する液晶ＬＣＤ１，ＬＣＤ２〜ＬＣＤ２８に印加されるクロストークによる電圧を実質上一定にでき、これにより該クロストークを受けたときの画像表示におけるシャードーイングが抑制される。
【０１３９】
また、本液晶表示装置では、カイラルネマチック液晶に対して前記自己組織型ゲル化剤又はゼラチン水溶液と界面活性剤とを添加しているため、プレーナ状態での表示の白さ度合を向上させることができ、かつ、駆動期間において、期間Ｔｓと期間Ｔｌｃとの比率を、Ｔｌｃ×０．７≦Ｔｓ≦Ｔｌｃ×１．３に設定したため、表示画像のコントラスト及びγ曲線を適切なものとし、良好な表示を行うことができる。この点については後に詳述する。
【０１４０】
なお、走査電極への電圧印加は前記したようなフレームごとのプラス、マイナスの反転電圧印加である必要はなく、いずれのフレームについても交番電圧印加であってもよい。図１２は走査駆動ＩＣから各走査電極に交番電圧を印加する基本駆動波形の一例を示しており、図１３は走査駆動ＩＣから各走査電極（ロウ電極）に出力される電圧波形、信号駆動ＩＣから一部の信号電極（カラム電極）に出力される電圧波形、及び、これらの電圧により各画素に対応する液晶部分（図ではＬＣＤ１〜ＬＣＤ２８として示す）に印加される電圧波形の例を示している。
【０１４１】
また、図１４（Ａ）は画素の液晶ＬＣＤｘがプレーナ状態となる印加電圧波形を、図１４（Ｂ）は液晶ＬＣＤｘがフォーカルコニック状態となる印加電圧波形を、図１４（Ｃ）は液晶ＬＣＤｘが中間調表示となる印加電圧波形例を示している。
【０１４２】
（実験例及び駆動条件、図１５〜図１７参照）
以下に、本発明者の実験に用いられた液晶材料及び作製された液晶表示素子の駆動条件について説明する。
【０１４３】
実験例１では、ネマチック液晶（メルク社製ＢＬ００６）８０．５重量部、カイラル剤（メルク社製ＣＢ１５）１４．１重量部及びカイラル剤（メルク社製Ｒ１０１１）５．４重量部を混合したものに、前記化学式（２）で表されるゲル化剤２重量部を添加し、選択波長のピーク値が５８０ｎｍを示すカイラルネマチック液晶組成物を得た。
【０１４４】
得られた液晶組成物及び以下に示す材料を用いて、図１に示した構成の液晶表示素子（但し、高分子構造物と絶縁性薄膜は省略した）を作製した。セルギャップは６．０μｍであった。
・基板：０．７ｍｍ厚のガラス
・配向膜：垂直配向性ポリイミド
・スペーサ：粒径６μｍ（積水ファインケミカル社製ミクロパールＳＰ−２０５−ＫＡ）
・シール材：熱硬化性接着剤（住友ベークライト社製ＥＲＳ−２４００）と硬化剤（同社製ＥＲＳ−２８４０）とを１：１の重量比で混合したもの
・光吸収層：カーボンブラックを含む黒色塗料
【０１４５】
セルをホットプレートで１２０℃まで加熱し、ゲル化した前記カイラルネマチック液晶組成物を注入した後、２５℃まで冷却し、液晶表示素子を得た。
【０１４６】
得られた液晶表示素子に対して、リセット期間Ｔｒｓには±４０Ｖを１２ｍｓ周期で４パルス（４８ｍｓ）印加し、選択期間Ｔｓでは１／６の走査期間Ｔｓｓに選択パルスを印加し、維持期間Ｔｒｔは１２ｍｓ周期で２パルスとした。
【０１４７】
液晶がホメオトロピック状態から螺旋構造状態に遷移するまでの期間Ｔｌｃは１．６ｍｓであり、この期間Ｔｌｃに対して選択期間Ｔｓを０．９〜２．２ｍｓの範囲で変更し、γ値を計測した。ここで、選択期間において液晶に印加される電圧に対する液晶のピーク選択反射波長での液晶表示素子の反射率の変化を示すγ曲線について説明する。
【０１４８】
図１９はγ曲線の一例を示している。γ曲線において、液晶の飽和反射率の９５％（％Ｒ９５）が得られるときの、選択期間において液晶に印加される電圧値をＶ９５とし、飽和反射率の５％（％Ｒ０５）が得られるときの、選択期間において液晶に印加される電圧値をＶ０５としたとき、電圧値Ｖ９５と電圧値Ｖ０５との差をγという。液晶表示素子について、このγ曲線が寝すぎると（倒れすぎると）、過度の範囲にわたらない選択電圧値によっては液晶の十分なプレーナ状態（表示素子の十分な反射状態）や十分なフォーカルコニック状態（表示素子の十分な透明状態）が得難くなり、ひいては良好なコントラストが得難くなる。また、γ曲線が立ちすぎると、環境変動（主として環境温度変化）や液晶表示素子の経時変化に対応し難くなり、良好な表示が困難になる。そしてγ曲線が寝すぎているとγ値が大きくなりすぎ、γ曲線が立ちすぎているとγ値が小さくなりすぎる。従って、γ値は、液晶表示素子に通常採用される程度の走査駆動ＩＣや信号駆動ＩＣを採用する場合を考慮して、良好な表示を行う上で５〜９であることが好ましい。
【０１４９】
以下に示す表１に、期間Ｔｌｃ（Ｔｓ／Ｔｌｃ）と計測されたγ値を示し、図１５にＴｓ／Ｔｌｃに対するγ値を示す。なお、期間Ｔｌｃは図１７に示すパルス電圧を印加して測定しているが詳細は後述する。
【０１５０】
【表１】
2006201726.tif 000008
【０１５１】
γ値の適正値は９以下であり、Ｔｓ／Ｔｌｃの好ましい範囲は０．７〜１．３であった。より好ましい範囲は０．９〜１．２であった。
【０１５２】
実験例２では、ネマチック液晶（メルク社製ＭＬＣ６４３６−０００）７７．０ｗｔ％、カイラル剤（メルク社製Ｓ−８１１）２３．０ｗｔ％を混合したものに、前記化学式（２）で表されるゲル化剤２ｗｔ％を添加し、選択波長のピーク値が５８０ｎｍを示すカイラルネマチック液晶組成物を得た。
【０１５３】
得られた液晶組成物及び前記実験例１と同じ材料で同じ工程にて液晶表示素子を得た。実験例２の液晶がホメオトロピック状態から螺旋構造状態に遷移するまでの期間Ｔｌｃは０．８ｍｓであり、実験例１と同じ条件で駆動し、期間Ｔｌｃに対して選択期間Ｔｓを０．４〜１．２ｍｓの範囲で変更し、γ値を計測した。以下に示す表２に、期間Ｔｌｃ（Ｔｓ／Ｔｌｃ）と計測されたγ値を示し、図１６にＴｓ／Ｔｌｃに対するγ値を示す。
【０１５４】
【表２】
2006201726.tif 000009
【０１５５】
γ値の適正値は９以下であり、Ｔｓ／Ｔｌｃの好ましい範囲は０．７〜１．２５であった。より好ましい範囲は０．８〜１．１であった。
【０１５６】
（期間Ｔｌｃの決定方法、図１７及び図１８参照）
次に、液晶がホメオトロピック状態から螺旋溝造状態に遷移するまでの期間Ｔｌｃの決定方法について、前記実験例１，２に関して説明する。
【０１５７】
図１７に示すように、実験例１，２ともそれぞれの液晶表示素子に液晶をホメオトロピック状態にリセットするに十分なリセットパルス（電圧値Ｖｒｓ：±４０ボルト、リセット期間Ｔｒｓ：４８ｍｓを印加し、次いで期間Ｔｉｎｔ（０．５〜２．０ｍｓ）をおいて、維持期間Ｔｒｔに維持パルス（電圧値Ｖｒｔ：２５〜４０Ｖ、維持期間Ｔｒｔ：２４ｍｓ）を印加した。
【０１５８】
期間Ｔｉｎｔについては０．５ｍｓ〜２．０ｍｓの間で変化させ、各期間Ｔｉｎｔについて維持パルスの電圧値Ｖｒｔを２５〜４０Ｖの間で変化させ、それぞれについて、維持パルス印加終了後に液晶のピーク選択反射波長５８０ｎｍにおける反射率を測定した。反射率測定はコニカミノルタセンシング社製の分光測色計ＣＭ３７００ｄで行い、複数のγ曲線を作成した。測定結果を図１８に示す。
【０１５９】
そして、図１８において、各期間Ｔｉｎｔにおける維持パルスに対する反射率の変化を示す特性曲線群のうち複数のものの実質上一致をもたらす時間Ｔｉｎｔのうち最も短い時間を期間Ｔｌｃと決定した。即ち、実験例１の液晶ではＴｌｃを１．６ｍｓと決定し、実験例２の液晶ではＴｌｃを０．８ｍｓと決定した。
【図面の簡単な説明】
【０１６０】
【図１】反射型液晶表示素子の概略構成を示す断面図である。
【図２】液晶層に駆動電圧を印加する駆動装置の主要部である駆動回路の１例のブロク図である。
【図３】図２に示す駆動回路の詳細な構成の一例を示すブロック図である。
【図４】（Ａ）は走査駆動ＩＣから各走査電極に出力される奇数番目フレームの基本駆動波形を示すチャート図であり、（Ｂ）は走査駆動ＩＣから各走査電極に出力される偶数番目フレームの基本駆動波形を示すチャート図である。
【図５】走査駆動ＩＣから各走査電極に出力される電圧波形、信号駆動ＩＣから一部の信号電極に出力される電圧波形、及びこれらの電圧により各画素に対応する液晶に印加される電圧波形を示すチャート図であり、該電圧波形のうちの奇数番目フレームのものを示す。
【図６】走査駆動ＩＣから各走査電極に出力される電圧波形、信号駆動ＩＣから一部の信号電極に出力される電圧波形、及びこれらの電圧により各画素に対応する液晶に印加される電圧波形を示すチャート図であり、該電圧波形のうちの偶数番目フレームのものを示す。
【図７】図３に示す駆動回路の他の構成例を示すブロック図であり、スイッチング素子が１側に切り替えられた奇数番目フレームの状態を示す。
【図８】図４に示す回路構成において、スイッチング素子が２側に切り替えられた偶数番目フレームの状態を示すブロック図である。
【図９】ロウ電極に出力される選択パルス波形、カラム電極に出力される信号パルス波形、これらの電圧によって液晶に印加される電圧波形の選択期間部分を中心とする部分を拡大したチャート図であり、液晶を選択反射状態にする様子を示す。
【図１０】図９と同様のチャート図であり、液晶を透明状態にする様子を示す。
【図１１】図９と同様のチャート図であり、液晶を中間調表示状態にする様子を示す。
【図１２】液晶表示素子の駆動方法の他の例において走査電極へ印加する基本駆動波形を示すチャート図である。
【図１３】図１２に示す基本駆動波形を採用した場合の走査電極へ出力される電圧波形、信号電極へ出力される電圧波形及びこれらの電圧により各画素に対応する液晶に印加される電圧波形の例を示すチャート図である。
【図１４】図１２に示す基本駆動波形を採用した場合において画素液晶のプレーナ状態等の状態をもたらす印加電圧波形を示すチャート図であり、（Ａ）は画素の液晶ＬＣＤｘがプレーナ状態となる電圧波形を、（Ｂ）は液晶ＬＣＤｘがフォーカルコニック状態となる選択電圧波形を、（Ｃ）は液晶ＬＣＤｘが中間調表示となる選択電圧波形例を示す。
【図１５】実験例１におけるＴｓ／Ｔｌｃに対するγ値の変化を示すグラフである。
【図１６】実験例２におけるＴｓ／Ｔｌｃに対するγ値の変化を示すグラフである。
【図１７】期間Ｔｌｃを決定するために液晶への印加パルスを説明するためのチャート図である。
【図１８】期間Ｔｌｃを決定する手法を説明するためのグラフである。
【図１９】γ曲線を示すグラフである。
【符号の説明】
【０１６１】
１，２…透明基板
３…透明電極（走査電極、ロウ）
４…透明電極（信号電極、カラム）
１１…液晶層（液晶組成物）
１３１…走査駆動ＩＣ（ドライバ）
１３２…信号駆動ＩＣ（ドライバ）
１３５…中央処理装置（ＣＰＵ）
ＣＯＮＴ…制御部
Ｔｉ…表示期間
Ｔｒｓ…リセット期間
Ｔｒｔ…維持期間
Ｔｓ…選択期間
Ｔｓｐ…選択パルス印加期間
Ｔｓｓ…走査期間
【図１】
2006201726.tif 000010
【図２】
2006201726.tif 000011
【図３】
2006201726.tif 000012
【図４】
2006201726.tif 000013
【図５】
2006201726.tif 000014
【図６】
2006201726.tif 000015
【図７】
2006201726.tif 000016
【図８】
2006201726.tif 000017
【図９】
2006201726.tif 000018
【図１０】
2006201726.tif 000019
【図１１】
2006201726.tif 000020
【図１２】
2006201726.tif 000021
【図１３】
2006201726.tif 000022
【図１４】
2006201726.tif 000023
【図１５】
2006201726.tif 000024
【図１６】
2006201726.tif 000025
【図１７】
2006201726.tif 000026
【図１８】
2006201726.tif 000027
【図１９】
2006201726.tif 000028